(57)【特許請求の範囲】
【請求項１】
無線信号を受信し、スペクトラム拡散が施されたベースバンド信号を復調する復調手段と、
止まり木チャネルを探索するための拡散コードを生成するコード生成手段と、
前記復調手段により復調されたベースバンド信号と前記コード生成手段により生成された拡散コードとの相関演算を実行する相関演算手段と、
前記相関演算手段が相関演算を実行した結果に基づいて待ち受け可能な止まり木チャネルを探索する探索処理手段と、
前記コード生成手段が止まり木チャネルを探索するために生成する全ての拡散コードを示すデータを記録したテーブルを格納するテーブル格納手段と、
前記コード生成手段が生成する拡散コードごとの優先度を示すデータを記憶する優先度データ記憶手段とを備え、
前記探索処理手段は、待ち受け状態に移行する際に各拡散コードが最初に使用された頻度のランキングにおいて、所定個数の上位コードを高優先度のグループとし、その他の拡散コードを低優先度のグループとした場合の拡散コードごとの優先度を示すデータを前記優先度データ記憶手段に記憶させることにより、前記コード生成手段が生成する拡散コードに優先度を付け、前記優先度データ記憶手段に記憶されている拡散コードごとの優先度を示すデータを読み取って優先度が高い拡散コードを特定し、特定した拡散コードを示すデータを前記テーブル格納手段に格納されているテーブルから読み出し、読み出したデータに従って前記コード生成手段に拡散コードを生成させることにより、優先度の高い拡散コードを他の拡散コードより先に前記コード生成手段に生成させて止まり木チャネルの探索を実行し、待ち受け可能な止まり木チャネルがあると、待ち受け状態となるための処理を実行する、
ことを特徴とするＣＤＭＡ方式移動通信装置。
【請求項２】
前記探索処理手段は、優先度の高い拡散コードを前記コード生成手段に生成させることによる止まり木チャネルの探索が終了すると、待ち受け可能な止まり木チャネルがあるか否かを判別する、
ことを特徴とする請求項１に記載のＣＤＭＡ方式移動通信装置。
【請求項３】
前記探索処理手段は、前記相関演算手段が相関演算を実行することにより得られた拡散コードごとの相関度の大きさが所定の基準値以上であるか否かを判別し、基準値以上であると判別すると、待ち受け可能な止まり木チャネルがあると判別する、
ことを特徴とする請求項１又は２に記載のＣＤＭＡ方式移動通信装置。
【請求項４】
無線信号を受信し、スペクトラム拡散が施されたベースバンド信号を復調する復調ステップと、
止まり木チャネルを探索するための拡散コードを生成するコード生成ステップと、
前記復調ステップにて復調したベースバンド信号と前記コード生成ステップにて生成した拡散コードとの相関演算を実行する相関演算ステップと、
前記相関演算ステップにて相関演算を実行した結果に基づいて待ち受け可能な止まり木チャネルを探索する探索処理ステップと、
前記コード生成ステップにて生成する拡散コードごとの優先度を示すデータを第１のメモリに記憶する優先度データ記憶ステップとを備え、
前記優先度データ記憶ステップは、待ち受け状態に移行する際に各拡散コードが最初に使用された頻度のランキングにおいて、所定個数の上位コードを高優先度のグループとし、その他の拡散コードを低優先度のグループとした場合の拡散コードごとの優先度を示すデータを前記第１のメモリに記憶させることにより、前記コード生成ステップにて生成する拡散コードに優先度を付ける優先度付与ステップを含み、
前記探索処理ステップは、
前記第１のメモリに記憶されている拡散コードごとの優先度を示すデータを読み取って優先度が高い拡散コードを特定し、特定した拡散コードを示すデータを、第２のメモリに予め格納されたテーブルであって前記コード生成ステップにて止まり木チャネルを探索するために生成する全ての拡散コードを示すデータを記録したテーブルから読み出す読出ステップと、
前記読出ステップにて読み出したデータに従って前記コード生成ステップにて拡散コードを生成することにより、前記優先度付与ステップにて付された優先度の高い拡散コードを他の拡散コードより先に生成して止まり木チャネルの探索を実行し、待ち受け可能な止まり木チャネルがあると、待ち受け状態となるための処理を実行する止まり木チャネル探索ステップとを含む、
ことを特徴とするＣＤＭＡ方式移動通信装置の止まり木チャネル探索方法。
【発明の詳細な説明】
【０００１】
【発明の属する技術分野】
この発明は、基地局との間で無線信号を送受信し、ＣＤＭＡ（Code Division Multiple Access；符号分割多元接続）方式を用いて通信を行うＣＤＭＡ方式移動通信装置に係り、特に、素早く通信サービス圏内への復帰が可能なＣＤＭＡ方式移動通信装置に関する。
【０００２】
【従来の技術】
スペクトラム拡散通信方式を用いたＣＤＭＡ（Code Division Multiple Access）方式移動通信装置が広く普及し、移動電話装置等に適用されている。
こうしたＣＤＭＡ方式移動通信装置には、基地局との間で無線信号を送受信して通信するものがある。
このようなＣＤＭＡ方式移動通信装置は、電源投入直後や通信サービス圏外にあるときに止まり木チャネルの探索を実行し、受信した信号を復元（逆拡散）するための拡散コードを特定する。
この際、ＣＤＭＡ方式移動通信装置は、受信信号と拡散コードとの相関演算処理を実行し、演算の結果として得られる相関度の大きさに基づいて、受信信号を復元するための拡散コードを特定する。
【０００３】
この後、ＣＤＭＡ方式移動通信装置は、特定した拡散コードを用いて基地局との間で通信を行い、当該基地局から提供される止まり木チャネル内のＢＣＣＨ（Broadcast Control CHannel；報知チャネル）を読み取る。ＣＤＭＡ方式移動通信装置は、読み取ったＢＣＣＨに示される周辺基地局の拡散コードや受信タイミングに従った受信処理を実行し、周辺基地局との間の通信品質を特定する。
ここで、ＣＤＭＡ方式移動通信装置は、現在通信中の基地局よりも高品質の周辺基地局があれば、その基地局に通信相手を切り替えることもある。
【０００４】
このようにして特定した拡散コードを用いることにより、ＣＤＭＡ方式移動通信装置は、基地局との無線通信が可能な待ち受け状態に移行する。
【０００５】
【発明が解決しようとする課題】
上記従来のＣＤＭＡ方式移動通信装置は、基地局と通信するために拡散コードを特定して待ち受け状態に移行する際、近傍の基地局に関する情報を持っていない。
このため、従来のＣＤＭＡ方式移動通信装置は、基地局に割り当てられている可能性のある全ての拡散コードについて、受信信号との相関演算処理を拡散コードごとに順次実行し、演算結果から近傍の基地局に割り当てられている拡散コードを特定しなければならなかった。
【０００６】
このように基地局との通信を行うために、全ての拡散コードについて相関演算処理を実行すると、待ち受け状態に移行するまでに多くの時間が必要となるという問題があった。
【０００７】
この発明は、上記実状に鑑みてなされたものであり、短時間で待ち受け状態に移行することができるＣＤＭＡ方式移動通信装置を提供することを目的とする。
【０００８】
【課題を解決するための手段】
上記目的を達成するべく、この発明の第１の観点に係るＣＤＭＡ方式移動通信装置は、
無線信号を受信し、スペクトラム拡散が施されたベースバンド信号を復調する復調手段と、
止まり木チャネルを探索するための拡散コードを生成するコード生成手段と、
前記復調手段により復調されたベースバンド信号と前記コード生成手段により生成された拡散コードとの相関演算を実行する相関演算手段と、
前記相関演算手段が相関演算を実行した結果に基づいて待ち受け可能な止まり木チャネルを探索する探索処理手段と、
前記コード生成手段が止まり木チャネルを探索するために生成する全ての拡散コードを示すデータを記録したテーブルを格納するテーブル格納手段と、
前記コード生成手段が生成する拡散コードごとの優先度を示すデータを記憶する優先度データ記憶手段とを備え、
前記探索処理手段は、待ち受け状態に移行する際に各拡散コードが最初に使用された頻度のランキングにおいて、所定個数の上位コードを高優先度のグループとし、その他の拡散コードを低優先度のグループとした場合の拡散コードごとの優先度を示すデータを前記優先度データ記憶手段に記憶させることにより、前記コード生成手段が生成する拡散コードに優先度を付け、前記優先度データ記憶手段に記憶されている拡散コードごとの優先度を示すデータを読み取って優先度が高い拡散コードを特定し、特定した拡散コードを示すデータを前記テーブル格納手段に格納されているテーブルから読み出し、読み出したデータに従って前記コード生成手段に拡散コードを生成させることにより、優先度の高い拡散コードを他の拡散コードより先に前記コード生成手段に生成させて止まり木チャネルの探索を実行し、待ち受け可能な止まり木チャネルがあると、待ち受け状態となるための処理を実行する、
ことを特徴とする。
【０００９】
この発明によれば、探索処理手段が優先度の高い拡散コードを他の拡散コードより先にコード生成手段に生成させて止まり木チャネルの探索を実行し、待ち受け可能な止まり木チャネルがあると、待ち受け状態となるための処理を実行する。
これにより、止まり木チャネルを探索する時間を短縮して、短時間で待ち受け状態に移行することができる。
【００１０】
前記探索処理手段は、優先度の高い拡散コードを前記コード生成手段に生成させることによる止まり木チャネルの探索が終了すると、待ち受け可能な止まり木チャネルがあるか否かを判別することが望ましい。
これにより、優先度の高い拡散コードによる止まり木チャネルの探索において待ち受け可能な止まり木チャネルが特定されると、待ち受け状態となるための処理を実行し、短時間で待ち受け状態に移行することができる。
【００１３】
前記探索処理手段は、前記相関演算手段が相関演算を実行することにより得られた拡散コードごとの相関度の大きさが所定の基準値以上であるか否かを判別し、基準値以上であると判別すると、待ち受け可能な止まり木チャネルがあると判別してもよい。
【００１４】
また、この発明の第２の観点に係るＣＤＭＡ方式移動通信装置の止まり木チャネル探索方法は、
無線信号を受信し、スペクトラム拡散が施されたベースバンド信号を復調する復調ステップと、
止まり木チャネルを探索するための拡散コードを生成するコード生成ステップと、
前記復調ステップにて復調したベースバンド信号と前記コード生成ステップにて生成した拡散コードとの相関演算を実行する相関演算ステップと、
前記相関演算ステップにて相関演算を実行した結果に基づいて待ち受け可能な止まり木チャネルを探索する探索処理ステップと、
前記コード生成ステップにて生成する拡散コードごとの優先度を示すデータを第１のメモリに記憶する優先度データ記憶ステップとを備え、
前記優先度データ記憶ステップは、待ち受け状態に移行する際に各拡散コードが最初に使用された頻度のランキングにおいて、所定個数の上位コードを高優先度のグループとし、その他の拡散コードを低優先度のグループとした場合の拡散コードごとの優先度を示すデータを前記第１のメモリに記憶させることにより、前記コード生成ステップにて生成する拡散コードに優先度を付ける優先度付与ステップを含み、
前記探索処理ステップは、
前記第１のメモリに記憶されている拡散コードごとの優先度を示すデータを読み取って優先度が高い拡散コードを特定し、特定した拡散コードを示すデータを、第２のメモリに予め格納されたテーブルであって前記コード生成ステップにて止まり木チャネルを探索するために生成する全ての拡散コードを示すデータを記録したテーブルから読み出す読出ステップと、
前記読出ステップにて読み出したデータに従って前記コード生成ステップにて拡散コードを生成することにより、前記優先度付与ステップにて付された優先度の高い拡散コードを他の拡散コードより先に生成して止まり木チャネルの探索を実行し、待ち受け可能な止まり木チャネルがあると、待ち受け状態となるための処理を実行する止まり木チャネル探索ステップとを含む、
ことを特徴とする。
【００１５】
この発明によれば、優先度の高い拡散コードを他の拡散コードより先に生成して止まり木チャネルの探索を実行し、待ち受け可能な止まり木チャネルがあると、待ち受け状態となるための処理を実行することから、待ち受け状態に移行するまでの時間を短縮することができる。
【００１７】
【発明の実施の形態】
以下に、図面を参照して、この発明の実施の形態に係るＣＤＭＡ方式移動通信装置について詳細に説明する。
図１は、この発明の実施の形態に係るＣＤＭＡ方式移動通信装置１００の構成を示す図である。
図示するように、このＣＤＭＡ方式移動通信装置１００は、無線復調部１０と、相関処理部１１と、データ処理部１２と、アンテナ１３とを備えている。
【００１８】
無線復調部１０は、ＬＮＡ（Low Noise Amplifier）、ダウンコンバータ、直交検波器等から構成され、アンテナ１３が受信した無線信号からベースバンド信号を復調するためのものである。無線復調部１０により復調されるベースバンド信号は、スペクトラム拡散が施されており、相関処理部１１がこのベースバンド信号を逆拡散することにより、データ信号を復元する。
【００１９】
相関処理部１１は、無線復調部１０が復調したベースバンド信号を利用して待ち受け可能な止まり木チャネルを探索し、データ処理部１２にて処理可能なデータ信号を復元するためのものである。
図２は、相関処理部１１の構成を示す図である。
図示するように、相関処理部１１は、探索処理部１４と、受信処理部１５とを備えている。
【００２０】
探索処理部１４は、待ち受け可能な止まり木チャネルの探索を実行するためのものであり、拡散コード生成部２０と、相関検出部２１と、テーブル格納部２２と、記憶部２３と、演算制御部２４とを備えている。
【００２１】
拡散コード生成部２０は、演算制御部２４の制御に従って、例えばＰＮ（Pseudo Noise）系列やＧｏｌｄ系列等からなる拡散コードを生成するためのものである。拡散コード生成部２０は、生成した拡散コードを相関検出部２１に供給する。
【００２２】
相関検出部２１は、マッチトフィルタ等から構成され、無線復調部１０から受けたベースバンド信号と拡散コード生成部２０により生成された拡散コードとの相関演算を実行することにより、ベースバンド信号を逆拡散するためのものである。相関検出部２１は、相関演算の結果として得られるパルス列を、演算制御部２４に送る。
【００２３】
テーブル格納部２２は、ＲＯＭ（Read Only Memory）等から構成され、拡散コード生成部２０に拡散コードを生成させるためのデータを記録した基地局ＩＤテーブルを格納するためのものである。テーブル格納部２２は、基地局に割り当てられる可能性のある全ての拡散コードを、予め基地局ＩＤテーブルに記録して格納する。
【００２４】
記憶部２３は、書き換え可能な不揮発性メモリ、例えばフラッシュＥＥＰＲＯＭ（Electronically Erasable and Programmable ROM）等から構成され、演算制御部２４が相関演算処理を実行した結果等を示すデータを一時的に記憶するためのものである。
【００２５】
演算制御部２４は、ＤＳＰ（Digital Signal Processor）、ＭＰＵ（Micro Processing Unit）等から構成され、相関処理部１１を構成する各部位の動作を制御するためのものである。
より具体的には、演算制御部２４は、止まり木チャネルを探索する際に、拡散コード生成部２０を制御して、テーブル格納部２２に格納されている基地局ＩＤテーブルに記録されたデータに従った拡散コードを生成させる。
この際、演算制御部２４は、拡散コード生成部２０が拡散コードを生成するタイミングを調整し、相関検出部２１が相関演算を実行することにより得られたパルス列から、拡散コードごとの相関度の大きさを特定する。
【００２６】
ここで、演算制御部２４は、止まり木チャネルを探索する際に拡散コード生成部２０に生成させる拡散コードに、予め優先度を付ける。
すなわち、演算制御部２４は、予め、基地局ＩＤテーブルに記録されたデータに応じた拡散コードごとに優先度を付け、又は、各拡散コードを高優先度のグループと低優先度のグループに分類する。演算制御部２４は、高い優先度を付けた拡散コードを、他の拡散コードより先に拡散コード生成部２０に生成させ、待ち受け可能な止まり木チャネルを探索する。
【００２７】
また、演算制御部２４は、受信処理部１５がデータ信号を復元するためのパラメータを生成し、受信処理部１５にセットする。
【００２８】
受信処理部１５は、相関演算回路、ＲＡＫＥ合成器等から構成され、無線復調部１０から受けたベースバンド信号を、演算制御部２４によりセットされたパラメータに従って逆拡散することにより、データ信号を復元するためのものである。受信処理部１５は、復元したデータ信号をデータ処理部１２に送る。
【００２９】
図１のデータ処理部１２は、デコーダ、スピーカ等から構成され、受信処理部１５から受けたデータ信号を復号化して得られる情報に応じて音声信号を出力する等の各種処理を実行するためのものである。
【００３０】
以下に、この発明の実施の形態に係るＣＤＭＡ方式移動通信装置１００の動作を説明する。
このＣＤＭＡ方式移動通信装置１００は、止まり木チャネルを探索する際に生成する拡散コードに優先度を付け、高い優先度を付けた拡散コードを他の拡散コードより先に生成して止まり木チャネルを探索することで、短時間で通信サービス圏内に復帰することができる装置である。
【００３１】
このＣＤＭＡ方式移動通信装置１００は、例えば、移動体通信網を構成する基地局（図示せず）との間で無線信号を送受信することにより、相手先との通信を行う。
例えば、基地局が送出した無線信号を受信する際には、まず、無線復調部１０が、アンテナ１３により受信した無線信号からスペクトラム拡散が施されたベースバンド信号を復調し、相関処理部１１に送る。
【００３２】
相関処理部１１は、止まり木チャネルの探索を実行する際には、相関検出部２１が拡散コード生成部２０から受けた拡散コードと無線復調部１０から受けたベースバンド信号との相関演算処理を実行し、演算の結果得られるパルス列を演算制御部２４に送る。
ここで、拡散コード生成部２０が生成する拡散コードは、拡散コードを生成するタイミングと共に演算制御部２４により決定される。
【００３３】
演算制御部２４は、相関検出部２１から受けたパルス列により、拡散コードごとの相関度の大きさを特定し、待ち受け可能な止まり木チャネルがあるか否かを判別する。
演算制御部２４は、待ち受け可能な止まり木チャネルがあると判別すると、受信処理部１５がデータ信号を復元するためのパラメータを作成し、受信処理部１５にセットする。このパラメータには、受信処理部１５がベースバンド信号を逆拡散する際の拡散コードや逆拡散のタイミングを示す情報等が含まれている。
【００３４】
受信処理部１５は、演算制御部２４によりセットされたパラメータに従って、無線復調部１０から受けたベースバンド信号を逆拡散することによりデータ信号を復元し、データ処理部１２に送る。
データ処理部１２は、受信処理部１５から受けたデータ信号に従った処理を実行することにより、相手先との通話やデータ通信を可能とする。
【００３５】
ここで、このＣＤＭＡ方式移動通信装置１００は、電源が投入された直後や移動体通信システムがカバーする通信サービスエリアの圏外にあるときには、待ち受け可能な止まり木チャネルを探索するため、図３及び図４のフローチャートに示す止まり木チャネル探索処理を実行する。
【００３６】
この際、このＣＤＭＡ方式移動通信装置１００は、止まり木チャネルを探索するための拡散コードに予め優先度を付して記憶部２３に記憶している。
【００３７】
優先度の付け方としては、例として、以下のような方式のいずれかを採用することができる。
第一に、過去に使用された拡散コードについて、使用頻度のランキングを作成し、上位Ｎコード（Ｎ：整数）を高優先度のグループとし、その他の拡散コードを低優先度のグループとする方式である。
第二に、圏外状態に移行する直前に使用していた拡散コードを高優先度の拡散コードとし、その他の拡散コードを低優先度の拡散コードとする方式である。
第三に、待ち受け状態に移行する際に最初に使用した拡散コードについて、使用頻度のランキングを作成し、上位Ｎコードを高優先度のグループとし、その他の拡散コードを低優先度の拡散コードとする方式である。
演算制御部２４は、このＣＤＭＡ方式移動通信装置１００が待ち受け状態に移行する際等に、優先度を付するための処理を実行し、拡散コードごとの優先度を示すデータを記憶部２３に予め記憶させる。
【００３８】
ＣＤＭＡ方式移動通信装置１００は、図３及び図４に示す止まり木チャネル探索処理を開始すると、演算制御部２４が記憶部２３に記憶された拡散コードごとの優先度を示すデータを読み取り、拡散コード生成部２０に優先度の高い拡散コードを生成させ、相関検出部２１に相関演算を実行させる（ステップＳ１）。
【００３９】
より詳細には、演算制御部２４は、記憶部２３に記憶されているデータから優先度の高い拡散コードを特定し、特定した拡散コードに関するデータをテーブル格納部２２に格納されている基地局ＩＤテーブルから読み出す。演算制御部２４は、基地局ＩＤテーブルから読み出したデータに従って拡散コード生成部２０の動作を制御することにより、優先度の高い拡散コードを生成させる。拡散コード生成部２０が生成した拡散コードは、相関検出部２１に送られる。相関検出部２１は、無線復調部１０から受けたベースバンド信号と拡散コード生成部２０から受けた拡散コードとの相関演算の結果として得られたパルス列を演算制御部２４に送る。
【００４０】
演算制御部２４は、相関検出部２１から受けたパルス列を集計して拡散コードごとの相関度の大きさを特定し、所定の基準値以上であるか否かを判別する（ステップＳ２）。
【００４１】
演算制御部２４は、相関度の大きさが基準値以上であると判別すると（ステップＳ２にてＹＥＳ）、このチャネルが待ち受け可能な止まり木チャネルであるとして、拡散コード生成部２０に生成させた拡散コードとその相関度の大きさを特定するためのデータを記憶部２３に一時的に記憶させる（ステップＳ３）。
【００４２】
一方、演算制御部２４は、相関度の大きさが基準値未満であると判別すると（ステップＳ２にてＮＯ）、上記ステップＳ３の処理をスキップする。
【００４３】
演算制御部２４は、上記ステップＳ１にて拡散コード生成部２０に生成させた拡散コードが、高い優先度の付された拡散コードのうちで最後のコードに該当するか否かを判別する（ステップＳ４）。すなわち、演算制御部２４は、高い優先度が付けられた拡散コードによる止まり木チャネルの探索が終了したか否かを判別する。
【００４４】
演算制御部２４は、最後のコードに該当しないと判別すると（ステップＳ４にてＮＯ）、記憶部２３から読み出した拡散コードごとの優先度を示すデータから、優先度の高い次の拡散コードを特定し、処理を上記ステップＳ１にリターンして、相関演算処理を継続する（ステップＳ５）。
【００４５】
一方、演算制御部２４は、最後のコードに該当すると判別すると（ステップＳ４にてＹＥＳ）、記憶部２３を読み取り、上記ステップＳ３にて相関度の大きさが基準値以上であるとして記憶された拡散コードがあるか否かを判別する（ステップＳ６）。
【００４６】
演算制御部２４は、相関度の大きさが基準値以上であるとして記憶された拡散コードがあると判別すると（ステップＳ６にてＹＥＳ）、処理を図４のステップＳ１４に進める。
【００４７】
一方、演算制御部２４は、相関度の大きさが基準値以上であるとして記憶された拡散コードがないと判別すると（ステップＳ６にてＮＯ）、処理を図４のステップＳ７に進め、拡散コード生成部２０に優先度の低い拡散コードを生成させ、相関検出部２１に相関演算を実行させる（ステップＳ７）。
【００４８】
演算制御部２４は、相関検出部２１が相関演算を実行した結果から、拡散コードごとの相関度の大きさを特定し、所定の基準値以上であるか否かを判別する（ステップＳ８）。
【００４９】
演算制御部２４は、基準値以上であると判別すると（ステップＳ８にてＹＥＳ）、拡散コード生成部２０に生成させた拡散コードとその相関度の大きさを特定するためのデータを記憶部２３に一時的に記憶させる（ステップＳ９）。
【００５０】
一方、演算制御部２４は、相関度の大きさが基準値未満であると判別すると（ステップＳ８にてＮＯ）、上記ステップＳ９の処理をスキップする。
【００５１】
演算制御部２４は、上記ステップＳ７にて拡散コード生成部２０に生成させた拡散コードが、低い優先度の付された拡散コードのうちで最後のコードに該当する否かを判別する（ステップＳ１０）。
【００５２】
演算制御部２４は、最後のコードに該当しないと判別すると（ステップＳ１０にてＮＯ）、優先度の低い次の拡散コード特定し（ステップＳ１１）、処理を上記ステップＳ７にリターンする。
【００５３】
一方、演算制御部２４は、最後のコードに該当すると判別すると（ステップＳ１０にてＹＥＳ）、記憶部２３を読み取り、上記ステップＳ９にて相関度の大きさが基準値以上であるとして記憶された拡散コードがあるか否かを判別する（ステップＳ１２）。
【００５４】
演算制御部２４は、相関度の大きさが基準値以上であるとして記憶された拡散コードがないと判別すると（ステップＳ１２にてＮＯ）、所定の時間待機（ステップＳ１３にてＮＯ）した後、処理を図３のステップＳ１にリターンして（ステップＳ１３にてＹＥＳ）、再び止まり木チャネルの探索を実行する。
【００５５】
一方、演算制御部２４は、相関度の大きさが基準値以上であるとして記憶された拡散コードがあると判別すると（ステップＳ１２にてＹＥＳ）、待ち受け状態となるための処理を実行する。
すなわち、演算制御部２４は、拡散コード生成部２０に当該拡散コードを生成させて制御チャネルを起動し、ＢＣＣＨ（Broadcast Control CHannel；報知チャネル）を読み取る（ステップＳ１４）。
ここで、上記ステップＳ６にて、相関度の大きさが基準値以上であるとして記憶された拡散コードがあると判別された場合には、優先度の低い拡散コードについて相関度の大きさを調べることなく制御チャネルを起動するので、止まり木チャネルの探索に要する時間を短縮することができる。
【００５６】
また、演算制御部２４は、従来のＣＤＭＡ方式移動通信装置と同様にして、読み取ったＢＣＣＨに示される周辺基地局の拡散コードや受信タイミングに従った受信処理を実行し、周辺基地局との間の通信品質を特定して止まり木チャネルの再捕捉を行う（ステップＳ１５）。
【００５７】
このようにして待ち受け可能な止まり木チャネルが見付かると、このＣＤＭＡ方式移動通信装置１００は、図３及び図４に示す止まり木チャネル探索処理を終了して、待ち受け状態となる。
【００５８】
以上説明したように、この発明によれば、止まり木チャネルを探索する際に生成する拡散コードに優先度を付け、優先度が高い拡散コードを他の拡散コードより先に生成して止まり木チャネルを探索することで、素早く待ち受け状態となることができ、短時間で通信サービス圏内に復帰することができる。
【００５９】
なお、上記実施の形態では、拡散コードに付ける優先度が、高い優先度と低い優先度の２通りであるとして説明したが、これに限定されず、より多くのレベルの優先度を付けて、優先度に応じた順番で拡散コードを生成して相関度の大きさを調べるようにしてもよい。
【００６０】
【発明の効果】
以上の説明のように、この発明によれば、止まり木チャネルを探索するための拡散コードに優先度を付け、高い優先度を付けた拡散コードを他の拡散コードより先に生成して止まり木チャネルを探索することで、短時間で通信サービス圏内に復帰することができる。
【図面の簡単な説明】
【図１】この発明の実施の形態に係るＣＤＭＡ方式移動通信装置の構成を示す図である。
【図２】相関処理部の構成を示す図である。
【図３】止まり木チャネル探索処理を説明するためのフローチャートである。
【図４】止まり木チャネル探索処理を説明するためのフローチャートである。
【符号の説明】
１０    無線復調部
１１    相関処理部
１２    データ処理部
１３    アンテナ
１４    探索処理部
１５    受信処理部
２０    拡散コード生成部
２１    相関検出部
２２    テーブル格納部
２３    記憶部
２４    演算制御部
１００    ＣＤＭＡ方式移動通信装置
【図１】
0003689776.tif 000002
【図２】
0003689776.tif 000003
【図３】
0003689776.tif 000004
【図４】
0003689776.tif 000005